(57)【要約】
【課題】　包装された商品が指付き靴下であることを一目で視認できる指付き靴下の包装を提供する。
【解決手段】　爪先の指部Ｓ２とその下に配置された敷き紙としての帯紙１１の他端部１１Ｂとのコントラストにより爪先の指部２Ｂの輪郭が鮮明となり、包装された商品が指付き靴下Ｓであることを一目で視認できるようになる。
【選択図】　図１
0003099903.tif 000002
【実用新案登録請求の範囲】
【請求項１】
　口ゴム部に爪先の指部を折り重ねて包装する指付き靴下の包装であって、前記口ゴム部と爪先の指部との間に配置されて爪先の指部の輪郭を鮮明にさせる敷き紙を備えていることを特徴とする指付き靴下の包装。
【請求項２】
　口ゴム部に爪先の指部を折り重ねた複数の指付き靴下を相互に重ねて１束に包装する指付き靴下の包装であって、少なくとも片側の表面に臨む爪先の指部とその下に重なる口ゴム部との間に配置されて爪先の指部の輪郭を鮮明にさせる敷き紙を備えていることを特徴とする指付き靴下の包装。
【請求項３】
　口ゴム部に爪先の指部を折り重ねて包装する指付き靴下の包装であって、前記爪先の指部の表面側に配置される載せ紙を備え、この載せ紙には、足指形の切り込みが形成されていることを特徴とする指付き靴下の包装。
【請求項４】
　口ゴム部に爪先の指部を折り重ねた複数の指付き靴下を相互に重ねて１束に包装する指付き靴下の包装であって、少なくとも片側の表面に臨む爪先の指部の表面側に配置される載せ紙を備え、この載せ紙には、足指形の切り込みが形成されていることを特徴とする指付き靴下の包装。
【考案の詳細な説明】
【技術分野】
【０００１】
　本考案は、爪先の指部を有する指付き靴下の包装に関するものである。
【背景技術】
【０００２】
　従来、靴下の一種として、爪先の指部を有する指付き靴下が一般に知られている（例えば特許文献１参照）。この種の指付き靴下は、一般の靴下と同様に一足ごとに包装され、あるいは複数足、例えば５足まとめた状態に包装されて販売される。そして、この指付き靴下の包装の一態様として、指付き靴下は、口ゴム部に爪先の指部が重なるように２つに折り畳んで包装される。
【特許文献１】登録実用新案第３００２５５５号公報
【０００３】
　ここで、一般に包装とは、物品の輸送、保管、取引、または使用にあたって、その価値および状態を保護するために適切な材料容器などを施す技術、および施した状態をいう（日本工業規格　ＪＩＳ　Ｚ０１０８）。そして、この考案に係る指付き靴下の包装とは、指付き靴下を２つに折り畳んで爪先の指部が口ゴム部に折り重なる状態に保持するための帯紙、止め具、縫い糸、透明な包装袋などの部材を総称したものである。
【考案の開示】
【考案が解決しようとする課題】
【０００４】
　ところで、従来の指付き靴下の包装は、単に指付き靴下を２つに折り畳んで爪先の指部が口ゴム部に重なる状態に保持するだけのものであるため、口ゴム部に重なった同色の爪先の指部の輪郭がぼやけてしまい、包装された商品が指付き靴下であることを一目で視認できないという問題がある。
【０００５】
　そこで、本考案は、包装された商品が指付き靴下であることを一目で視認できる指付き靴下の包装を提供することを課題とする。
【課題を解決するための手段】
【０００６】
　本考案に係る指付き靴下の包装は、口ゴム部に爪先の指部を折り重ねて包装する指付き靴下の包装であって、前記口ゴム部と爪先の指部との間に配置されて爪先の指部の輪郭を鮮明にさせる敷き紙を備えていることを特徴とする。
【０００７】
　また、本考案に係る指付き靴下の包装は、口ゴム部に爪先の指部を折り重ねた複数の指付き靴下を相互に重ねて１束に包装する指付き靴下の包装であって、少なくとも片側の表面に臨む爪先の指部とその下に重なる口ゴム部との間に配置されて爪先の指部の輪郭を鮮明にさせる敷き紙を備えていることを特徴とする。
【０００８】
　これらの考案に係る指付き靴下の包装では、爪先の指部とその下に配置された敷き紙とのコントラストにより爪先の指部の輪郭が鮮明となり、包装された商品が指付き靴下であることを一目で視認できるようになる。
【０００９】
　さらに、本考案に係る指付き靴下の包装は、口ゴム部に爪先の指部を折り重ねて包装する指付き靴下の包装であって、前記爪先の指部の表面側に配置される載せ紙を備え、この載せ紙には、足指形の切り込みが形成されていることを特徴とする。
【００１０】
　また、本考案に係る指付き靴下の包装は、口ゴム部に爪先の指部を折り重ねた複数の指付き靴下を相互に重ねて１束に包装する指付き靴下の包装であって、少なくとも片側の表面に臨む爪先の指部の表面側に配置される載せ紙を備え、この載せ紙には、足指形の切り込みが形成されていることを特徴とする。
【００１１】
　これらの考案に係る指付き靴下の包装では、爪先の指部とその表面側に配置される載せ紙とのコントラストにより、載せ紙に形成された足指形の切り込みが鮮明となり、包装された商品が指付き靴下であることを一目で視認できるようになる。
【００１２】
　なお、本考案の指付き靴下の包装における敷き紙および載せ紙の材質は、紙に限らず、紙と同様の織布、不織布、合成樹脂フィルム、合成樹脂シートなどであってもよい。
【００１３】
　また、本考案の指付き靴下の包装において、指付き靴下は、従来一般に使用される透明な包装袋や帯紙などによって包装される。
【考案の効果】
【００１４】
　本考案に係る指付き靴下の包装によれば、爪先の指部とその下に配置された敷き紙とのコントラストにより爪先の指部の輪郭が鮮明となるため、包装された商品が指付き靴下であることを一目で視認することができる。
【００１５】
　また、本考案に係る指付き靴下の包装によれば、爪先の指部とその表面側に配置される載せ紙とのコントラストにより、載せ紙に形成された足指形の切り込みが鮮明となるため、包装された商品が指付き靴下であることを一目で視認することができる。
【考案を実施するための最良の形態】
【００１６】
　以下、図面を参照して本考案に係る指付き靴下の包装の実施形態を説明する。参照する図面において、図１は第１実施形態に係る指付き靴下の包装を示す斜視図である。
【００１７】
　第１実施形態に係る指付き靴下の包装１は、図１に示すように、指付き靴下Ｓを口ゴム部Ｓ１の近傍に爪先の指部Ｓ２が重なるように２つに折り畳んで１足ごとに包装するものである。この指付き靴下の包装１は、２つに折り畳まれた指付き靴下Ｓを縦向きに包む長方形の帯紙１１と、帯紙１１に包まれた指付き靴下Ｓを収容する透明な包装袋１２とを備えている。
【００１８】
　帯紙１１の一端部１１Ａは、指付き靴下Ｓの爪先の指部Ｓ２に連続する部分（足の裏または甲に対応する部分）を覆うように折り返されており、その表面には、商標、商品名の他、サイズ、素材などの必要な品質表示が印刷されている。
【００１９】
　ここで、帯紙１１の他端部１１Ｂは、口ゴム部Ｓ１を覆うように折り返されて口ゴム部Ｓ１と爪先の指部Ｓ２との間に差し込まれている。この帯紙１１の他端部１１Ｂの表面は、爪先の指部Ｓ２の輪郭を鮮明にさせる敷き紙として機能するように、爪先の指部Ｓ２に対してコントラストのある色彩とされている。
【００２０】
　すなわち、帯紙１１の他端部１１Ｂの表面の色は、通常、指付き靴下Ｓの色彩が濃色の場合には白色または淡色とされ、淡色の場合には濃色とされている。なお、帯紙１１の他端部１１Ｂの表面の色は、爪先の指部Ｓ２に対してコントラストのある色彩である限り、補色関係にある色彩など、如何なる色としても構わない。
【００２１】
　第１実施形態に係る指付き靴下の包装１では、帯紙１１の他端部１１Ｂが敷き紙として指付き靴下Ｓの口ゴム部Ｓ１と爪先の指部Ｓ２との間に差し込まれており、この帯紙１１の他端部１１Ｂの表面の色彩が爪先の指部Ｓ２に対してコントラストのある色彩とされているため、爪先の指部Ｓ２の輪郭が鮮明となり、包装された商品が指付き靴下Ｓであることを一目で視認できるようになる。
【００２２】
　第２実施形態に係る指付き靴下の包装２は、図２に示すように、口ゴム部Ｓ１の近傍に爪先の指部Ｓ２が重なるようにそれぞれ２つに折り畳んだ複数足（例えば５足）の指付き靴下Ｓを上下に重ねて１束に包装するものである。この指付き靴下の包装２は、上下に重ねられた５足の指付き靴下Ｓを１つに束ねる帯紙２１と、最も外側（例えば最上部）の指付き靴下Ｓの表面に臨む爪先の指部Ｓ２の輪郭を鮮明にするための長方形の敷き紙２２とを備えている。
【００２３】
　帯紙２１は、上下に重ねられた５足の指付き靴下Ｓの周囲に横向きに巻き付けられており、その表面には、商標、商品名の他、サイズ、素材などの必要な品質表示が印刷されている。
【００２４】
　敷き紙２２は、最上部の指付き靴下Ｓの表面に臨む爪先の指部Ｓ２とその下に重なる口ゴム部Ｓ１との間に一端部２２Ａが差し込まれており、他端部２２Ｂが折り返されてその下に重なる指付き靴下Ｓの爪先の指部Ｓ２と口ゴム部Ｓ１との間に差し込まれている。この敷き紙２２は、脱落しないように適宜の手段で指付き靴下Ｓに止め着けられている。
【００２５】
　ここで、敷き紙２２の一端部２２Ａの表面は、第１実施形態の帯紙１１の他端部１１Ｂの表面と同様に、爪先の指部Ｓ２に対してコントラストのある色彩とされている。すなわち、敷き紙２２の一端部２２Ａの表面の色は、通常、指付き靴下Ｓの色彩が濃色の場合には白色または淡色とされ、淡色の場合には濃色とされている。なお、敷き紙２２の一端部２２Ａの表面の色は、爪先の指部Ｓ２に対してコントラストのある色彩である限り、補色関係にある色彩など、如何なる色としても構わない。
【００２６】
　第２実施形態に係る指付き靴下の包装２では、敷き紙２２の一端部２２Ａが最上部の指付き靴下Ｓの表面に臨む爪先の指部Ｓ２とその下に重なる口ゴム部Ｓ１との間に差し込まれており、この敷き紙２２の一端部２２Ａの表面の色彩が爪先の指部Ｓ２に対してコントラストのある色彩とされているため、爪先の指部Ｓ２の輪郭が鮮明となり、包装された商品が指付き靴下Ｓであることを一目で視認できるようになる。
【００２７】
　第３実施形態に係る指付き靴下の包装３は、図３に示すように、指付き靴下Ｓを口ゴム部Ｓ１の近傍に爪先の指部Ｓ２が重なるように２つに折り畳んで１足ごとに包装するものである。この指付き靴下の包装３は、２つに折り畳まれた指付き靴下Ｓを縦向きに包む長方形の帯紙３１と、帯紙３１に包まれた指付き靴下Ｓを収容する透明な包装袋３２とを備えている。
【００２８】
　帯紙３１の一端部３１Ａは、指付き靴下Ｓの爪先の指部Ｓ２に連続する部分（足の裏または甲に対応する部分）を覆うように折り返されており、その表面には、商標、商品名の他、サイズ、素材などの必要な品質表示が印刷されている。
【００２９】
　ここで、帯紙３１の他端部３１Ｂは、載せ紙として爪先の指部Ｓ２の上面に臨むように折り返されている。そして、この載せ紙としての帯紙３１の他端部３１Ｂには、足指形の切り込み３１Ｃが形成されている。
【００３０】
　載せ紙としての帯紙３１の他端部３１Ｂの表面は、爪先の指部Ｓ２に対してコントラストのある色彩とされている。すなわち、帯紙３１の他端部３１Ｂの表面の色は、通常、指付き靴下Ｓの色彩が濃色の場合には白色または淡色とされ、淡色の場合には濃色とされている。なお、帯紙３１の他端部３１Ｂの表面の色は、爪先の指部Ｓ２に対してコントラストのある色彩である限り、補色関係にある色彩など、如何なる色としても構わない。
【００３１】
　第３実施形態に係る指付き靴下の包装３では、足指形の切り込み３１Ｃを有する帯紙３１の他端部３１Ｂが載せ紙として指付き靴下Ｓの爪先の指部Ｓ２の上面に臨んで配置されており、この載せ紙としての帯紙３１の他端部３１Ｂの表面の色彩が爪先の指部Ｓ２に対してコントラストのある色彩とされているため、足指形の切り込み３１Ｃが鮮明となり、包装された商品が指付き靴下Ｓであることを一目で視認できるようになる。
【００３２】
　第４実施形態に係る指付き靴下の包装４は、図４に示すように、口ゴム部Ｓ１の近傍に爪先の指部Ｓ２が重なるようにそれぞれ２つに折り畳んだ複数足（例えば５足）の指付き靴下Ｓを上下に重ねて１束に包装するものである。この指付き靴下の包装４は、上下に重ねられた５足の指付き靴下Ｓを１つに束ねる帯紙４１と、最も外側（例えば最上部）の指付き靴下Ｓの表面に重ねられる長方形の載せ紙４２とを備えている。
【００３３】
　帯紙４１は、上下に重ねられた５足の指付き靴下Ｓの周囲に横向きに巻き付けられており、その表面には、商標、商品名の他、サイズ、素材などの必要な品質表示が印刷されている。
【００３４】
　載せ紙４２は、最上部の指付き靴下Ｓの表面に一端部４２Ａが重ねられており、他端部４２Ｂが折り返されてその下に重なる指付き靴下Ｓの爪先の指部Ｓ２と口ゴム部Ｓ１との間に差し込まれている。この載せ紙４２は、脱落しないように適宜の手段で指付き靴下Ｓに止め着けられている。
【００３５】
　ここで、最上部の指付き靴下Ｓの表面に重ねられた載せ紙４２の一端部４２Ａには、足指形の切り込み４２Ｃが形成されている。この載せ紙４２の一端部４２Ａの表面は、爪先の指部Ｓ２に対してコントラストのある色彩とされている。すなわち、載せ紙４２の一端部４２Ａの表面の色は、通常、指付き靴下Ｓの色彩が濃色の場合には白色または淡色とされ、淡色の場合には濃色とされている。なお、帯紙３１の他端部３１Ｂの表面の色は、爪先の指部Ｓ２に対してコントラストのある色彩である限り、補色関係にある色彩など、如何なる色としても構わない。
【００３６】
　第４実施形態に係る指付き靴下の包装４では、足指形の切り込み４２Ｃを有する載せ紙４２の一端部４２Ａが指付き靴下Ｓの上面に臨んで配置されており、この載せ紙４２の一端部４２Ａの表面の色彩が指付き靴下Ｓに対してコントラストのある色彩とされているため、足指形の切り込み４２Ｃが鮮明となり、包装された商品が指付き靴下Ｓであることを一目で視認できるようになる。
【００３７】
　本考案に係る指付き靴下の包装は、前述した第１〜第４実施形態に限定されるものではない。例えば、第１実施形態の指付き靴下の包装１および第３実施形態の指付き靴下の包装３において、指付き靴下Ｓが帯紙１１，３１と共に２つ折り状態に縫い付けられている場合には、包装袋１２，３２は不要とすることができる。
【００３８】
　また、帯紙１１，２１，３１，４１、敷き紙２２、載せ紙４２等の材質は、紙に限らず、紙と同様の織布、不織布、合成樹脂フィルム、合成樹脂シートなどであってもよい。
【図面の簡単な説明】
【００３９】
【図１】本考案の第１実施形態に係る指付き靴下の包装を示す斜視図である。
【図２】第２実施形態に係る指付き靴下の包装を示す斜視図である。
【図３】第３実施形態に係る指付き靴下の包装を示す斜視図である。
【図４】第４実施形態に係る指付き靴下の包装を示す斜視図である。
【符号の説明】
【００４０】
　１　　指付き靴下の包装
１１　　帯紙
１１Ａ　一端部
１１Ｂ　他端部（敷き紙部）
１２　　包装袋
　２　　指付き靴下の包装
２１　　帯紙
２２　　敷き紙
２２Ａ　一端部
２２Ｂ　他端部
　３　　指付き靴下の包装
３１　　帯紙
３１Ａ　一端部
３１Ｂ　他端部（載せ紙部）
３１Ｃ　足指形の切り込み
３２　　包装袋
　４　　指付き靴下の包装
４１　　帯紙
４２　　載せ紙
４２Ａ　一端部
４２Ｂ　他端部
４２Ｃ　足指形の切り込み
　Ｓ　　指付き靴下
　Ｓ１　口ゴム部
　Ｓ２　爪先の指部
【図１】
0003099903.tif 000003
【図２】
0003099903.tif 000004
【図３】
0003099903.tif 000005
【図４】
0003099903.tif 000006